(57)【特許請求の範囲】
【請求項１】
ネットワークに対する、クライアント毎に割り当てられた特定波長光信号の挿入、前記特定波長光信号の分離、及び前記ネットワークに流れる光信号の中継を行うＯＡＤＭ部を備えた光合分波装置であって、
現用回線である第１ラインからの光信号を監視し、障害発生の有無を検出する第１障害検出部と、
予備回線である第２ラインからの光信号を監視し、障害発生の有無を検出する第２障害検出部と、
前記第１障害検出部及び前記第２障害検出部による障害検出結果から前記第１ライン及び前記第２ラインのうち使用可能な有効ラインを判定するノード状態判定部と、
前記ノード状態判定部で有効ラインと判定されたラインからの光信号を前記ＯＡＤＭ部へ出力し、前記ノード状態判定部で障害が発生していると判定されたラインを遮断し、該ラインからの光信号の入力を停止する入力信号選択部と、
前記第１ラインからの光信号を分割し、前記入力信号選択部及び前記第１障害検出部にそれぞれ供給する第１光分岐回路と、
前記第２ラインからの光信号を分割し、前記入力信号選択部及び前記第２障害検出部にそれぞれ供給する第２光分岐回路と、
前記クライアントから前記ＯＡＤＭ部経由で供給される前記特定波長光信号と前記ＯＡＤＭ部で中継を行う光信号とを、前記ノード状態判定部で障害が発生していないと判定されたラインに対して出力し、前記ノード状態判定部で障害が発生していると判定されたラインを遮断し、該ラインに対する光信号の出力を停止する出力信号分配・遮断部と、
を有する光合分波装置。
【請求項２】
前記ノード状態判定部は、
自装置がマスターノードに指定された場合に、障害の発生を検出したラインに対して前記クライアントから供給される前記特定波長光信号を、前記出力信号分配・遮断部から、予め決められた所定周期毎に予め決められた時間幅で送出させる請求項１記載の光合分波装置。
【請求項３】
請求項２に記載の光合分波装置を備えた複数のノード装置と、
前記ノード装置間を結ぶ現用回線である第１ライン及び予備回線である第２ラインと、
を備え、
前記複数のノード装置が前記第１ライン及び第２ラインによりリング状に接続されたリングネットワーク。
【請求項４】
請求項２に記載の光合分波装置を備えた複数のノード装置と、
前記ノード装置間を結ぶ現用回線である少なくとも１本の第１ライン及び予備回線である少なくとも１本の第２ラインと、
を備え、
対向して配置された前記ノード装置間が前記第１ライン及び第２ラインにより接続された対向ネットワーク。
【請求項５】
ネットワークに対する、クライアント毎に割り当てられた特定波長光信号の挿入、前記特定波長光信号の分離、及び前記ネットワークに流れる光信号の中継を行う光合分波装置であって、
現用回線である第１ラインからの光信号を監視し、障害発生の有無を検出する第１障害検出部と、
予備回線である第２ラインからの光信号を監視し、障害発生の有無を検出する第２障害検出部と、
前記第１障害検出部及び前記第２障害検出部による障害検出結果から前記第１ライン及び前記第２ラインのうち使用可能な有効ラインを判定するノード状態判定部と、
前記ノード状態判定部で有効ラインと判定されたラインからの光信号を出力し、前記ノード状態判定部で障害が発生していると判定されたラインを遮断し、該ラインからの光信号の入力を停止する入力信号選択部と、
前記第１ラインからの光信号を分割し、前記入力信号選択部及び前記第１障害検出部にそれぞれ供給する第１光分岐回路と、
前記第２ラインからの光信号を分割し、前記入力信号選択部及び前記第２障害検出部にそれぞれ供給する第２光分岐回路と、
前記クライアントから供給される前記特定波長光信号と前記中継を行う光信号とを、前記ノード状態判定部で障害が発生していないと判定されたラインに対して出力し、前記ノード状態判定部で障害が発生していると判定されたラインを遮断し、光信号の出力を停止する出力信号分配・遮断部と、
を有する光合分波装置。
【請求項６】
複数のノード装置間を接続する、現用回線である第１ライン及び予備回線である第２ラインで障害が発生したときに、任意の前記ノード装置間に形成された通信パスを復旧するための障害復旧方法であって、
ネットワークに対する、クライアント毎に割り当てられた特定波長光信号の挿入、前記特定波長光信号の分離、及び前記ネットワークに流れる光信号の中継を行う、前記ノード装置が備える光合分波装置が、
前記第１ライン及び前記第２ラインからの光信号をそれぞれ監視して障害発生の有無を検出し、
前記障害発生の有無の検出結果から前記第１ライン及び前記第２ラインのうち使用可能な有効ラインを判定し、
前記有効ラインと判定したラインから得られる光信号から、クライアント毎に割り当てられた特定波長光信号を分波してクライアントへ供給し、
前記クライアントから出力された特定波長光信号を障害が発生していないと判定したラインに対して出力し、前記障害が発生していると判定したラインを遮断し、光信号の出力を停止する障害復旧方法。
【請求項７】
前記光合分波装置が、
自装置を備えるノード装置がマスターノードに指定された場合は、障害の発生を検出したラインに対して前記クライアントから供給される前記特定波長光信号を予め決められた所定周期毎に予め決められた時間幅で送出する請求項６記載の障害復旧方法。
【発明の詳細な説明】
【０００１】
【発明の属する技術分野】
本発明は光波長分割多重伝送システムのリングネットワークを構築するために用いられる光合分波装置に関する。
【０００２】
【従来の技術】
近年、インターネットやマルチメディア通信の普及と共に大容量通信路に対する要求が高まり、複数の波長光を多重化して１本の光ファイバで伝送する光波長分割多重（ＷＤＭ：Wavelength Division Multiplexing）伝送技術が期待されている。このＷＤＭ伝送技術が適用可能な代表的ネットワークとして、複数のノード装置を光ファイバでリング状に接続するリングネットワークが知られている。
【０００３】
光通信のリングネットワークを構成する各ノード装置には、光合分波（ＯＡＤＭ：Optical Add Drop Multiplex）装置を備え、光合分波装置によりリングに対する光信号の挿入（Add）、リングからの光信号の分離(Drop)、リングに流れる光信号の中継（through）が実現される。なお、リングネットワークでＷＤＭ伝送を実現する場合、光合分波装置は各ノード装置に割り当てられた特定波長光をリングに流れる光信号に合波することで光信号を挿入（Add）し、リングに流れる光信号から特定波長光を分波することで光信号を分離(Drop)し、特定波長光以外の光信号を通過させることでリングに流れる光信号を中継（through）する。
【０００４】
リングネットワークは、通常、都市間や地域間等を繋ぐ基幹系ネットワークにも適用されるため高い信頼性が要求される。そのため、各ノード装置には光ファイバ断や光合分波装置の障害に対応する様々な復旧能力を備えている。例えば、各ノード装置を複数の光ファイバで接続し、その一部（通常、半数の光ファイバ）を現用回線として使用し、残りを現用回線の障害時に切り替える予備回線として使用する。また、光合分波装置の各構成要素を現用回線及び予備回線に対応してそれぞれ備えることで冗長性を持たせた構成もある。
【０００５】
この現用回線と予備回線の切り替え方法については、例えば、Telecordia (旧Bellcore)のGR-1400-CORE「SONET Dual-Fed Unidirectional Path Switched Ring(UPSR) Equipment generic Criteria」で勧告されている。
【０００６】
上述した光合分波装置の従来の構成について図２２及び図２３を用いて説明する。
【０００７】
図２２は第１従来例の光合分波装置の構成を示すブロック図であり、図２３は第２従来例の光合分波装置の構成を示すブロック図である。
【０００８】
図２２に示すように、第１従来例の光合分波装置は、現用回線である第１ラインに流れる光信号の合分波及び中継を行う第１ＯＡＤＭ部１１７1と、予備回線である第２ラインに流れる光信号の合分波及び中継を行う第２ＯＡＤＭ部１１７2と、第１ＯＡＤＭ部１１７1から出力された光信号を監視し、第１ライン及び第１ＯＡＤＭ部１１７1の障害発生有無を検出する第１障害検出部１１１と、第２ＯＡＤＭ部１１７2から出力された光信号を監視し、第２ライン及び第２ＯＡＤＭ部１１７2の障害発生有無を検出する第２障害検出部１１２と、第１障害検出部１１１及び第２障害検出部１１２による障害検出結果から第１ラインと第２ラインのうち有効なラインを選択するノード状態判定部１１３と、ノード状態判定部１１３で選択されたラインからの光信号を出力するスイッチである入力信号選択部１１４と、第１ＯＡＤＭ部１１７1から出力された光信号を分割し、入力信号選択部１１４及び第１障害検出部１１１にそれぞれ供給する第１光分岐回路１１５と、第２ＯＡＤＭ部１１７2から出力された光信号を分割し、入力信号選択部１１４及び第２障害検出部１１２にそれぞれ供給する第２光分岐回路１１６と、トランスポンダ部１１８を介してノード装置内の主処理装置であるクライアントから供給される特定波長光の信号を分割し、第１ＯＡＤＭ部１１７1及び第２ＯＡＤＭ部１１７2にそれぞれ供給する第３の光分岐回路１２０とを有する構成である。
【０００９】
第１従来例の光合分波装置を備えたノード装置のうち、光信号を分離(Drop)するノード装置は、第１ラインに流れる光信号から第１ＯＡＤＭ部１１７1を用いて特定波長光のみ分波し、第１光分岐回路１１５に供給する。このとき、分波されない光信号はそのまま第１ラインへ送出する。同様に、第２ラインに流れる光信号から第２ＯＡＤＭ部１１７2を用いて特定波長光のみ分波し、第２光分岐回路１１６に供給する。このとき、分波されない光信号はそのまま第２ラインへ送出する。
【００１０】
第１光分岐回路１１５は第１ＯＡＤＭ部１１７1から出力された光信号（特定波長光）を分割し、分割した一方の光信号を第１障害検出部１１１で監視することで第１ライン及び第１ＯＡＤＭ部１１７1の障害発生有無を検出する。同様に、第２光分岐回路１１６は第２ＯＡＤＭ部１１７2から出力された光信号（特定波長光）を分割し、分割した一方の光信号を第２障害検出部１１２で監視することで第２ライン及び第２ＯＡＤＭ部１１７2の障害発生有無を検出する。
【００１１】
ノード状態判定部１１３は、第１障害検出部１１１及び第２障害検出部１１２による障害検出結果から第１ラインと第２ラインのうち使用可能な有効ラインを判定する。入力信号選択部１１４はノード状態判定部１１３で選択された第１ラインまたは第２ラインのいずれか一方の光信号を出力する。入力信号選択部１１４から出力された光信号はトランスポンダ部１１８を介してクライアントへ供給される。
【００１２】
一方、光信号を挿入(Add)するノード装置は、クライアントからの光信号（特定波長光）をトランスポンダ部１１８を介して第３の光分岐回路１２０へ供給し、第３の光分岐回路１２０により分割して第１ＯＡＤＭ部１１７1及び第２ＯＡＤＭ部１１７2へそれぞれ供給する。
【００１３】
第１ＯＡＤＭ部１１７1はクライアントからの光信号（特定波長光）を第1ラインに流れる光信号に合波して送出する。同様に第２ＯＡＤＭ部１１７2はクライアントからの光信号（特定波長光）を第２ラインに流れる光信号に合波して送出する。
【００１４】
第１従来例の光合分波装置をそれぞれ備えた複数のノード装置から成るリングネットワークでは、光信号を送信するノード装置から第１ライン及び第２ラインの双方に光信号（特定波長光）が送出され、その光信号を受信するノード装置では第１ライン及び第２ラインのうち有効なラインからの光信号を受け取ることで双方向の通信パスが形成される。
【００１５】
なお、第１従来例の光合分波装置は、現用回線及び予備回線に対応してＯＡＤＭ部をそれぞれ備えているため、光ファイバ断の障害に対する復旧能力、及びＯＡＤＭ部の障害復旧能力をそれぞれ提供することができる。
図２３に示すように、第２従来例の光合分波装置は、現用回線である第１ラインに流れる光信号の合分波及び中継を行う第１ＯＡＤＭ部１２７1と、予備回線である第２ラインに流れる光信号の合分波及び中継を行う第２ＯＡＤＭ部１２７2と、第１ＯＡＤＭ部１２７1からの光信号を監視し、障害発生の有無を検出する機能を有する第１トランスポンダ部１２８1と、第２ＯＡＤＭ部１２７2からの光信号を監視し、障害発生の有無を検出する機能を有する第２トランスポンダ部１２８2とを有する構成である。また、この第１トランスポンダ部１２８1は、第１トランスポンダ部１２８1及び第２トランスポンダ部１２８2による障害検出結果から第１ラインが有効なラインと判定された場合に第１トランスポンダ部１２８1からクライアントへ送信される光信号を中継し、第２トランスポンダ部１２８2、は第１トランスポンダ部１２８1及び第２トランスポンダ部１２８2による障害検出結果から第２ラインが有効なラインと判定された場合に第２トランスポンダ部１２８2からクライアントへ送信される光信号を中継する。加えて、第２従来例の光合分波装置は、第１トランスポンダ部１２８1及び第２トランスポンダ部１２８2から出力される光信号を合波し、クライアントへ供給する光合波回路１２４と、クライアントから供給される光信号を分割し、第１トランスポンダ部１２８1及び第２トランスポンダ部１２８2へそれぞれ供給する光分岐回路１３０とを有する構成である。
【００１６】
第２従来例の光合分波装置を備えたノード装置のうち、光信号を分離(Drop)するノード装置は、第１ラインに流れる光信号から第１ＯＡＤＭ部１２７1を用いて特定波長光のみ分波し、第１トランスポンダ部１２８1へ供給する。このとき、分波されない光信号はそのまま第１ラインへ送出する。同様に、第２ラインに流れる光信号から第２ＯＡＤＭ部１２７2を用いて特定波長光のみ分波し、第２トランスポンダ部１２８2へ供給する。このとき、分波されない光信号はそのまま第２ラインへ送出する。
【００１７】
第２従来例の第１ＯＡＤＭ部１２７1及び第２ＯＡＤＭ部１２７2は、第１トランスポンダ部１２８1及び第２トランスポンダ部１２８2へ光信号（特定波長光）を供給する。
【００１８】
第１トランスポンダ部１２８1及び第２トランスポンダ部１２８2は、光信号の障害発生を検出するための障害検出回路を備え、第１ライン及び第２ラインのうち使用可能な有効ラインを判別し、その有効ラインから供給された光信号を出力する。
【００１９】
光合波回路１２４は、第１トランスポンダ部１２８1または第２トランスポンダ部１２８2から出力された光信号を合波し、クライアントへ出力する。
【００２０】
一方、光信号を挿入(Add)するノード装置は、クライアントからの光信号（特定波長光）を光分岐回路１３０により分割し、第１トランスポンダ部１２８1及び第２トランスポンダ部１２８2へそれぞれ分配する。
【００２１】
第１トランスポンダ部１２８1はクライアントからの光信号を第１ＯＡＤＭ部１２７1に供給し、第１ＯＡＤＭ部１２７1は第１トランスポンダ部１２８1から供給された光信号（特定波長光）を第1ラインに流れる光信号に合波して送出する。同様に、第２トランスポンダ部１２８2はクライアントからの光信号を第２ＯＡＤＭ部１２７2に供給し、第２ＯＡＤＭ部１２７2は第２トランスポンダ部１２８2から供給された光信号（特定波長光）を第２ラインに流れる光信号に合波して送出する。
【００２２】
第２従来例の光合分波装置をそれぞれ備えた複数のノード装置から成るリングネットワークでは、光信号を送信するノード装置から第１ライン及び第２ラインの双方に光信号（特定波長光）が送出され、その光信号を受信するノード装置では第１ライン及び第２ラインのうち有効なラインからの光信号を受け取ることで双方向の通信パスが形成される。
【００２３】
なお、第２従来例の光合分波装置は、現用回線及び予備回線に対応してＯＡＤＭ部及びトランスポンダ部をそれぞれ備えているため、光ファイバ断の障害に対する復旧能力、ＯＡＤＭ部の障害復旧能力、及びトランスポンダ部の障害復旧能力をそれぞれ提供することができる。
【００２４】
しかしながら第１従来例の光合分波装置では、現用回線である第１ライン用と予備回線である第２ライン用にそれぞれＯＡＤＭ部を用意する必要があるため、ノード装置の規模、価格、消費電力、及び設置場所に必要な容量等が増大する問題がある。
【００２５】
また、第２従来例の光合分波装置では、第１ライン用と第２ライン用にそれぞれＯＡＤＭ部及びトランスポンダ部を用意する必要があるため、ノード装置の規模、価格、消費電力、及び設置場所に必要な容量等が第１従来例よりもさらに増大してしまう。
【００２６】
このような問題を解決するため、例えば、図２４に示すような構成の光合分波装置が知られている。
【００２７】
図２４は第３従来例の光合分波装置の構成を示すブロック図である。
【００２８】
図２４に示すように、第３従来例の光合分波装置は、現用回線である第１ラインからの光信号を監視し、障害発生の有無を検出する第１障害検出部１３１と、予備回線である第２ラインからの光信号を監視し、障害発生の有無を検出する第２障害検出部１３２と、第１障害検出部１３１及び第２障害検出部１３２による障害検出結果から第１ラインと第２ラインのうち使用可能な有効ラインを選択するノード状態判定部１３３と、ノード状態判定部１３３で選択された第１ラインまたは第２ラインのいずれか一方からの光信号を出力するスイッチである入力信号選択部１３４と、第１ラインからの光信号を分割し、入力信号選択部１３４及び第１障害検出部１３１にそれぞれ供給する第１光分岐回路１３５と、第２ラインからの光信号を分割し、入力信号選択部１３４及び第２障害検出部１３２にそれぞれ供給する第２光分岐回路１３６と、入力信号選択部１３４から出力された光信号の分波、クライアントから供給される光信号の合波、及びネットワークに流れる光信号の中継を行うＯＡＤＭ部１３７と、ＯＡＤＭ部１３７とクライアント間で送受信される光信号を中継するトランスポンダ部１３８とを有する構成である。
【００２９】
第３従来例の光合分波装置を備えたノード装置のうち、光信号を分離(Drop)するノード装置は、第１ラインからの光信号を第１光分岐回路１３５で分割し、分割した一方の光信号を第１障害検出部１３１で監視することで第１ラインの障害発生有無を検出する。同様に、第２ラインからの光信号を第２光分岐回路１３６で分割し、分割した一方の光信号を第２障害検出部１３２で監視することで第２ラインの障害発生有無を検出する。
【００３０】
ノード状態判定部１３３は、第１障害検出部１３１及び第２障害検出部１３２による障害検出結果から第１ライン及び第２ラインのうち使用可能な有効ラインを判定する。入力信号選択部１３４はノード状態判定部１３３で選択された第１ラインまたは第２ラインのいずれか一方からの光信号を出力する。但し、第１ライン及び第２ライン共に有効な場合は、例えば、現用回線である第１ラインからの光信号を出力する。
【００３１】
ＯＡＤＭ部１３７は入力信号選択部１３４から出力された光信号から自装置に割り当てられた特定波長光のみ分波し、トランスポンダ部１３８を介してクライアントへ供給する。このとき、分波されない光信号は第３光分岐回路１４０を通して供給元のラインへ送出する。
【００３２】
一方、光信号を挿入(Add)するノード装置は、クライアントからの光信号（特定波長光）をトランスポンダ部１３８を介してＯＡＤＭ部１３７へ供給し、ＯＡＤＭ部１３７でネットワークに流れる光信号に合波した後、光分岐回路１４０により分割して第１ライン及び第２ラインにそれぞれ分配する。
【００３３】
第３従来例の光合分波装置では、ＯＡＤＭ部１３７及びトランスポンダ部１３８を第１ラインと第２ラインで共通に使用するため、光ファイバ断の障害復旧能力のみしか提供できないが、第１従来例及び第２従来例に比べてノード装置の規模、価格、消費電力、及び設置場所に必要な容量等を低減できる。
【００３４】
【発明が解決しようとする課題】
上述したように、第１従来例の光合分波装置、及び第２従来例の光合分波装置では、現用回線である第１ライン用と予備回線である第２ライン用にそれぞれＯＡＤＭ部を用意する必要（第２従来例ではＯＡＤＭ部及びトランスポンダ部共に必要）があるため、ノード装置の規模、価格、消費電力、及び設置場所に必要な容量等が増大する問題がある。
【００３５】
一方、第３従来例の光合分波装置では、ＯＡＤＭ部１３７及びトランスポンダ部１３８を第１ラインと第２ラインで共通に使用するため、第１従来例及び第２従来例に比べてノード装置の規模、価格、消費電力、及び設置場所に必要な容量等を低減できる。
【００３６】
しかしながら第３従来例の構成では、ＯＡＤＭ部１３７から出力された光信号を光分岐回路１４０を通して第１ライン及び第２ラインにそれぞれ送出する構成であるため、リングネットワークを構成した場合に障害を検出したノード装置から後段のノード装置にその障害検出結果が通知されないという問題がある。
【００３７】
例えば、第３従来例の光合分波装置で図２５に示すようにリングネットワークを構成した場合を考える。なお、図２５及び後述する図２６は第１ノード装置３０１、第２ノード装置３０２、及び第３ノード装置３０３を第１ライン及び第２ラインを用いてリング状に接続した例を示している。また、図２５及び図２６の矢印は光信号の送受信経路をそれぞれ示している。さらに、図２５及び図２６では、動作を分かり易くするため、第１障害検出部１３１、第２障害検出部１３２、ノード状態判定部１３３、第１光分岐回路１３５、第２光分岐回路１３６を省略した構成を示している。
【００３８】
図２５に示すように第１ラインを用いて第１ノード装置３０１と第２ノード装置３０２間に通信パスが形成されている状態から図２６に示すように第１ノード装置３０１と第２ノード装置３０２間の第１ラインの光ファイバが断線した場合、第２ノード装置３０２の入力信号選択部１３４は有効な第２ラインからの光信号をＯＡＤＭ部１３７へ供給するように経路を切り換える。一方、各ノード装置の第３光分岐回路１４０は第２ノード装置３０２の切り換え動作に関係なくＯＡＤＭ部１３７からの光信号を第１ライン及び第２ラインに対してそれぞれ送出する。その結果、図２６に示すように、第２ノード装置３０２から送信された光信号が後段の第３ノード装置３０３を通して第２ノード装置３０２へ返送されてしまう。すなわち、第３従来例の光合分波装置では、リングネットワークを構築しても光ファイバ断の障害発生時に通信パスを復旧することが不可能であり、適用できる構成が図２７に示すような対向（ポイント・ツー・ポイント）ネットワークに限られてしまう問題があった。
【００３９】
本発明は上記したような従来の技術が有する問題点を解決するためになされたものであり、障害に対する復旧能力を安価な構成で実現することが可能な光合分波装置及びリングネットワークを提供することを目的とする。
【００４０】
【課題を解決するための手段】
上記目的を達成するため本発明の光合分波装置は、ネットワークに対する、クライアント毎に割り当てられた特定波長光信号の挿入、前記特定波長光信号の分離、及び前記ネットワークに流れる光信号の中継を行うＯＡＤＭ部を備えた光合分波装置であって、
現用回線である第１ラインからの光信号を監視し、障害発生の有無を検出する第１障害検出部と、
予備回線である第２ラインからの光信号を監視し、障害発生の有無を検出する第２障害検出部と、
前記第１障害検出部及び前記第２障害検出部による障害検出結果から前記第１ライン及び前記第２ラインのうち使用可能な有効ラインを判定するノード状態判定部と、
前記ノード状態判定部で有効ラインと判定されたラインからの光信号を前記ＯＡＤＭ部へ出力し、前記ノード状態判定部で障害が発生していると判定されたラインを遮断し、該ラインからの光信号の入力を停止する入力信号選択部と、
前記第１ラインからの光信号を分割し、前記入力信号選択部及び前記第１障害検出部にそれぞれ供給する第１光分岐回路と、
前記第２ラインからの光信号を分割し、前記入力信号選択部及び前記第２障害検出部にそれぞれ供給する第２光分岐回路と、
前記クライアントから前記ＯＡＤＭ部経由で供給される前記特定波長光信号と前記ＯＡＤＭ部で中継を行う光信号とを、前記ノード状態判定部で障害が発生していないと判定されたラインに対して出力し、前記ノード状態判定部で障害が発生していると判定されたラインを遮断し、該ラインに対する光信号の出力を停止する出力信号分配・遮断部と、
を有する構成である。
【００４１】
このとき、前記ノード状態判定部は、
自装置がマスターノードに指定された場合に、障害の発生を検出したラインに対して前記クライアントから供給される前記特定波長光信号を、前記出力信号分配・遮断部から、予め決められた所定周期毎に予め決められた時間幅で送出させてもよい。
【００４２】
一方、本発明のリングネットワークは、上記光合分波装置を備えた複数のノード装置と、
前記ノード装置間を結ぶ現用回線である第１ライン及び予備回線である第２ラインと、
を備え、
前記複数のノード装置が前記第１ライン及び第２ラインによりリング状に接続された構成である。
【００４３】
（作用）
上記のような光合分波装置及びリングネットワークでは、出力信号分配・遮断部により障害の発生していないと判定されたラインに光信号が出力され、障害が発生したラインに対する光信号の出力が停止されるため、障害の発生時にその障害検出結果がネットワークの後段のノード装置に順に伝播され、任意のノード装置間に形成された通信パスが障害の発生していないラインを用いて復旧される。したがって、リングネットワークの構築が可能になる。
【００４４】
【発明の実施の形態】
次に本発明について図面を参照して説明する。
【００４５】
図１は本発明の光合分波装置の一構成例を示すブロック図であり、図２及び図３は図１に示したＯＡＤＭ部の一構成例を示すブロック図である。
【００４６】
図１に示すように、本発明の光合分波装置は、現用回線である第１ラインからの光信号を監視し、障害発生の有無を検出する第１障害検出部１１と、予備回線である第２ラインからの光信号を監視し、障害発生の有無を検出する第２障害検出部１２と、第１障害検出部１１及び第２障害検出部１２による障害検出結果から第１ライン及び第２ラインのうち使用可能な有効ラインを判定するノード状態判定部１３と、ノード状態判定部１３で有効ラインと判定されたライン（但し、第１ライン及び第２ライン共に有効な場合はいずれか一方のみ）からの光信号を出力する光スイッチである入力信号選択部１４と、第１ラインからの光信号を分割し、入力信号選択部１４及び第１障害検出部１１にそれぞれ供給する第１光分岐回路１５と、第２ラインからの光信号を分割し、入力信号選択部１４及び第２障害検出部１２にそれぞれ供給する第２光分岐回路１６と、入力信号選択部１４から出力された光信号の分波、クライアントから供給される光信号の合波、及びネットワークに流れる光信号の中継を行うＯＡＤＭ部１７と、ＯＡＤＭ部１７とクライアント間で送受信される光信号を中継するトランスポンダ部１８と、トランスポンダ部１８を介してクライアントから供給される光信号をノード状態判定部１３で障害が発生していないと判定されたラインに出力する光スイッチである出力信号分配・遮断部２０とを有する構成である。
【００４７】
なお、第１障害検出部１１及び第２障害検出部１２は、例えば光入力の有無を検出する光電変換素子を用いた簡単な検出器で構成することが可能である。また、第１光分岐回路１５及び第２光分岐回路１６は、例えば光ファイバから成る周知の結合器で構成することが可能である。ノード状態判定部１３は、第１障害検出部１１及び第２障害検出部１２による障害検出結果に基づいて光スイッチから成る入力信号選択部１４及び出力信号分配・遮断部２０を切り換えるための信号を生成する論理回路で構成される。なお、ノード状態判定部１３には、後述するライン復旧動作時に用いられる複数のタイマー回路を備えていることが好ましい。
【００４８】
ＯＡＤＭ部１７は、図２に示すように、２つの光サーキュレータ２１、ファイバグレーティング２２、光フィルタ２３、及び光カプラ２４によって構成される。または、図３に示すように、ＯＤＭＵＸ（Optical DeMultiplexing：光波長分離）部３１、及びＯＭＵＸ（Optical Multiplexing：光波長多重）部３２によって構成される。図２、図３に示すＯＡＤＭ部は当業者によく知られた構成であり、本発明の特徴と直接関係がないため、これらの詳細な説明は省略する。
【００４９】
このような構成において、本発明の光合分波装置を備えたノード装置のうち、光信号を分離(Drop)するノード装置では、第１ラインからの光信号を第１光分岐回路１５で分割し、分割した一方の光信号を第１障害検出部１１で監視することで第１ラインの障害発生有無を検出する。同様に、第２ラインからの光信号を第２光分岐回路１６で分割し、分割した一方の光信号を第２障害検出部１２で監視することで第２ラインの障害発生有無を検出する。
【００５０】
ノード状態判定部１３は、第１障害検出部１１及び第２障害検出部１２による障害検出結果から第１ライン及び第２ラインのうち使用可能な有効ラインを判定する。入力信号選択部１４はノード状態判定部１３で選択された第１ラインまたは第２ラインのいずれか一方からの光信号を出力する。但し、第１ライン及び第２ライン共に有効な場合は、例えば、現用回線である第１ラインからの光信号を出力する。
【００５１】
ＯＡＤＭ部１７は入力信号選択部１４から出力された光信号から自装置に割り当てられた特定波長光を分波し、トランスポンダ部１８を介してクライアントへ供給する。このとき、分波されない光信号は出力信号分配・遮断部２０を通して供給元のラインへ送出する。
【００５２】
一方、光信号を挿入(Add)するノード装置では、クライアントからの光信号（特定波長光）をトランスポンダ部１８を介してＯＡＤＭ部１７へ供給し、ＯＡＤＭ部１７でネットワークに流れる光信号に合波して出力信号分配・遮断部２０へ供給する。
【００５３】
出力信号分配・遮断部２０は、ノード状態判定部１３の判定結果にしたがって障害が検出されたラインへの光出力を停止し、障害が発生していないラインに対してＯＡＤＭ部１７から供給された光信号を送出する。
【００５４】
このような光合分波装置を備えた複数のノード装置を、例えば、図４に示すようにリング状に接続した場合（図４では第１ノード装置１０１、第２ノード装置１０２、及び第３ノード装置１０３を第１ライン及び第２ラインを用いてリング状に接続した例を示している）、各ノード装置の入力信号選択部１４は第１ライン及び第２ラインの光入力信号のうち有効な（障害の発生していない）ラインの光信号をＯＡＤＭ部１７へ供給することで分離(Drop)路を確保する。また、出力信号分配・遮断部２０は、第１ライン及び第２ラインのうち障害が発生していないラインに対して光信号を送出することで挿入(Add)路を確保する。さらに、出力信号分配・遮断部２０は、障害の発生したラインへの光信号の出力を停止することで第１ラインまたは第２ラインの入力側で発生した障害情報をネットワークの後段（第１ラインまたは第２ラインの出力側）のノード装置に伝搬する。すなわち、後段のノード装置では、障害の発生したラインを通した前段のノード装置からの光信号入力が停止するため、その光入力断を障害検出部で検出することで障害の発生有無を検出する。
【００５５】
例えば、図４に示すように第１ラインを用いて第１ノード装置１０１と第２ノード装置１０２間に通信パスが形成されている状態から図５に示すように第１ノード装置１０１と第２ノード装置１０２間を結ぶ第１ラインの光ファイバが断線した場合、各ノード装置の入力信号選択部１４は有効な第２ラインからの光信号をＯＡＤＭ部１７へ供給するように切り換え、各ノード装置の出力信号分配・遮断部２０は障害の発生していない第２ラインに対してＯＡＤＭ部１７からの光信号を送出するように切り換える。その結果、第１ノード装置１０１と第２ノード装置１０２間の通信パスは障害の発生していないライン（第２ライン）を用いて復旧される。なお、図４及び図５では、動作を分かり易くするため、第１障害検出部１１、第２障害検出部１２、ノード状態判定部１３、第１光分岐回路１５、及び第２光分岐回路１６を省略した構成を示している。また、図４、図５の矢印は光信号の送受信経路をそれぞれ示している。
【００５６】
したがって、本発明の光合分波装置を備えたノード装置を用いれば、出力信号分配・遮断部により障害の発生していないと判定されたラインに光信号が出力され、障害が発生したラインに対する光信号の出力が停止されるため、障害の発生時にその障害検出結果がネットワークの後段のノード装置に順に伝播され、任意のノード装置間に形成された通信パスが障害の発生していないラインを用いて復旧される。よって、リングネットワークの構築が可能になると共に光ファイバ断の障害に対する復旧能力を提供することができる。
【００５７】
次に、図１に示した本発明の光合分波装置の動作について、図面を用いて詳細に説明する。
【００５８】
光合分波装置は各ラインにおける障害発生の有無によって以下に示す（ａ）〜（ｅ）の５つの状態に遷移する。
【００５９】
（ａ）状態１：第１ライン及び第２ラインが共に正常な状態。
【００６０】
このとき、光合分波装置は、第１ラインに流れる光信号を入力信号選択部１４を通してＯＡＤＭ部１７へ供給することで分離(Drop)路を確保する。また、ＯＡＤＭ部１７から出力された光信号を出力信号分配・遮断部２０を通して第１ライン及び第２ラインへそれぞれ送出することで挿入(Add)路を確保する。すなわち、状態１では任意のノード装置間の双方向通信パスが第１ラインを用いて確保される。
【００６１】
（ｂ）状態２：第１ラインで障害が発生し、第２ラインが正常な状態。
【００６２】
このとき、光合分波装置は、第２ラインに流れる光信号を入力信号選択部１４を通してＯＡＤＭ部１７へ供給することで分離(Drop)路を確保する。また、ＯＡＤＭ部１７から出力された光信号を出力信号分配・遮断部２０を通して第２ラインへ送出することで挿入(Add)路を確保する。
【００６３】
状態２では、出力信号分配・遮断部２０が第１ラインに対する光出力を停止するため、第１ラインの後段（出力側）に接続されるノード装置へ障害の発生が順次通知される。すなわち、第１ラインの後段（出力側）のノード装置では第１ラインの光信号停止を検出することで第１ラインの障害発生を検出する。したがって、状態２では任意のノード装置間の双方向通信パスが第２ラインを用いて確保される。また、第１ラインの障害情報が後続のノード装置へ順次伝搬される。
【００６４】
（ｃ）状態３：第１ラインが障害復旧途上であり、第２ラインが正常な状態。
【００６５】
このとき、光合分波装置は、状態２と同様に第２ラインに流れる光信号を入力信号選択部１４を通してＯＡＤＭ部１７へ供給することで分離(Drop)路を確保する。また、ＯＡＤＭ部１７から出力された光信号を出力信号分配・遮断部２０を通して第２ラインへ送出することで挿入(Add)路を確保する。
【００６６】
状態３では、例えば、所定周期毎に出力信号分配・遮断部２０から第１ラインへ送出された光信号を第１ラインの後段（出力側）に接続されるノード装置が検出することで、各ノード装置へ障害復旧が順次通知される。したがって、状態３では任意のノード装置間の双方向通信パスが第２ラインを用いて確保される。また、第１ラインの障害復旧情報が後続のノード装置に順次伝搬される。各ノード装置は、この状態３が予め指定された時間（例えば２００ｍｓ）だけ経過したときに、第１ラインの復旧が完了したと判定し、状態１に遷移する。
【００６７】
（ｄ）状態４：第２ラインで障害が発生し、第１ラインが正常な状態。
【００６８】
このとき、光合分波装置は、第１ラインに流れる光信号を入力信号選択部１４を通してＯＡＤＭ部１７へ供給することで分離(Drop)路を確保する。また、ＯＡＤＭ部１７から出力された光信号を出力信号分配・遮断部２０を通して第１ラインへ送出することで挿入(Add)路を確保する。
【００６９】
状態４では、出力信号分配・遮断部２０が第２ラインに対する光出力を停止するため、第２ラインの後段（出力側）に接続されるノード装置へ障害の発生が順次通知される。すなわち、第２ラインの後段（出力側）のノード装置では第２ラインの光信号停止を検出することで第２ラインの障害発生を検出する。したがって、状態４では任意のノード装置間の双方向通信パスが第１ラインを用いて確保される。また、第２ラインの障害情報が後続のノード装置へ順次伝搬される。
【００７０】
（ｅ）状態５：第１ライン及び第２ライン共に障害が発生した状態。
【００７１】
このとき、光合分波装置は、入力信号選択部１４によりＯＡＤＭ部１７に対する第１ライン及び第２ラインからの光信号の入力を停止し、分離(Drop)路を遮断する。また、出力信号分配・遮断部２０により第１ライン及び第２ラインに対するＯＡＤＭ部１７から出力された光信号の送出を停止し、挿入(Add)路を遮断する。
【００７２】
状態５では、出力信号分配・遮断部２０が第１ライン及び第２ラインに対する光出力をそれぞれ停止するため、第１ライン及び第２ラインの後段（出力側）に接続されるノード装置へそれぞれ障害の発生が順次通知される。すなわち、第１ラインの後段（出力側）のノード装置では第１ラインからの光信号停止を検出することで第１ラインの障害発生を検出する。同様に第２ラインの後段（出力側）のノード装置では第２ラインからの光信号停止を検出することで第２ラインの障害発生を検出する。したがって、状態５では任意のノード装置間の双方向通信パスが遮断される。また、第１ライン及び第２ラインの障害情報が後段のノード装置へ順次伝搬される。
【００７３】
以上をまとめると、ノード装置の各状態は図６に示すノード状態表でそれぞれ表すことができる。なお、図６に示す入力信号選択部、出力信号分配・遮断部の構成のうち、接続関係を示す数字は、入力信号選択部１４及び出力信号分配・遮断部２０の入出力端子番号をそれぞれ示している（図１参照）。
【００７４】
次に、ライン正常時、ライン障害発生時、及びライン障害復旧時における光合分波装置の動作について図面を用いて説明する。
【００７５】
なお、以下では、図１に示した光合分波装置を備えた第１ノード装置２０１〜第５ノード装置２０５が、図７（ａ）に示すように２本の光ファイバでリング状に接続されたリングネットワークを例にして説明する。また、以下では、図７（ｂ）に示すように、第１ノード装置２０１と第４ノード装置２０４間で双方向の通信パスが形成され、第２ノード装置２０２と第３ノード装置２０３間で光ファイバ断の障害が発生する場合で説明する。
【００７６】
（１）第１ライン及び第２ラインが共に正常時：
この場合、光合分波装置には第１ライン及び第２ラインからそれぞれ正常に光信号が入力されるため、各ノード装置の第１障害検出部１１及び第２障害検出部１２で第１ライン及び第２ライン共に障害が発生していないと判定し、第１ノード装置２０１〜第５ノード装置２０５は全て状態１となる。
【００７７】
したがって、第１ノード装置２０１から挿入(Add)された光信号は、現用回線である第１ラインを通り、第２ノード装置２０２及び第３ノード装置２０３を中継して第４ノード装置２０４で分離(Drop)される。一方、第４ノード装置２０４から挿入(Add)された光信号は、現用回線である第１ラインを通り、第５ノード装置２０５を中継して、第１ノード装置２０１で分離(Drop)される。すなわち、第１ノード装置２０１と第４ノード装置２０４間に第１ラインを用いて双方向の通信パスが形成される。
【００７８】
（２）第１ラインで障害が発生し、第２ラインが正常な時：
第１ライン及び第２ラインが共に正常な状態から、第２ノード装置と第３ノード装置間の第１ラインの光ファイバが断線した場合、まず、第３ノード装置２０３に対して第１ラインからの光信号の入力が無くなるため、第３ノード装置２０３の第１障害検出部１１により第１ラインの障害が検出される。
【００７９】
第３ノード装置２０３は、図８の状態遷移図で示すように状態１から状態２に遷移し、ノード状態判定部１３により第１ラインで障害が発生したと判定し、有効ラインとして第２ラインを選択する。また、ノード状態判定部１３の判定結果にしたがって入力信号選択部１４は有効な第２ラインからの光信号をＯＡＤＭ部１７へ供給し、出力信号分配・遮断部２０は第１ラインへの光信号の送出を停止する。
【００８０】
第４ノード装置２０４は、第１ラインを通した第３ノード装置２０３からの光信号の入力が停止するため、第３ノード装置２０３と第４ノード装置２０４間の第１ラインの光ファイバが断線したときと同じ状態になる。このため、第４ノード装置２０４も状態２へ遷移し、第１ラインへの光信号の送出を停止する。
【００８１】
後続の第５ノード装置２０５、第１ノード装置２０１、及び第２ノード装置２０２も、第３ノード装置２０３及び第４ノード装置２０４と同様に状態２へそれぞれ遷移する。この段階で、全ノード装置２０１〜２０５が全て状態２に遷移し、第２ラインを用いてリングが形成される。図９はこの時の各ノード装置の状態遷移を示している。
【００８２】
したがって、第１ノード装置２０１から挿入(Add)された光信号は、予備回線である第２ラインを通り、第５ノード装置２０５を中継して第４ノード装置２０４で分離(Drop)される。一方、第４ノード装置２０４から挿入(Add)された光信号は、予備回線である第２ラインを通り、第３ノード装置２０３及び第２ノード装置２０２を中継して第１ノード装置２０１で分離(Drop)される。すなわち、第１ノード装置２０１と第４ノード装置２０４間に予備回線である第２ラインを用いて双方向の通信パスが形成されることで回線が復旧する。なお、第１ライン上の他のノード装置間でライン障害が発生した場合も同様の手順で第２ラインを用いて双方向の通信パスが復旧される。
【００８３】
（３）第２ラインで障害が発生し、第１ラインが正常な時：
第１ライン及び第２ラインが共に正常な状態から、第２ノード装置２０２と第３ノード装置２０３間の第２ラインの光ファイバが断線した場合、まず、第２ノード装置２０２に対して第２ラインからの光信号の入力が無くなるため、第２ノード装置２０２の第２障害検出部１２により第２ラインの障害が検出される。
【００８４】
第２ノード装置２０２は、図８の状態遷移図で示すように状態１から状態４に遷移し、ノード状態判定部１３により第２ラインで障害が発生したと判定し、有効ラインとして第１ラインを選択する。また、ノード状態判定部１３の判定結果にしたがって入力信号選択部１４は有効な第１ラインからの光信号をＯＡＤＭ部１７へ供給し、出力信号分配・遮断部２０は第２ラインへの光信号の送出を停止する。
【００８５】
第１ノード装置２０１は、第２ラインを通した第２ノード装置２０２からの光信号が停止するため、第１ノード装置２０１と第２ノード装置２０２間の第２ラインの光ファイバが断線したときと同じ状態になる。このため、第１ノード装置２０１も状態４へ遷移し、第２ラインへの光信号の送出を停止する。
【００８６】
後続の第５ノード装置２０５、第４ノード装置２０４、及び第３ノード装置２０３も、第２ノード装置２０２及び第１ノード装置２０１と同様に状態４へ遷移する。この段階で、全ノード装置２０１〜２０５が全て状態４に遷移し、第１ラインを用いてリングが形成される。図１０はこの時の各ノード装置の状態遷移を示している。
【００８７】
したがって、第１ノード装置２０１から挿入(Add)された光信号は、現用回線である第１ラインを通り、第２ノード装置２０２及び第３ノード装置２０３を中継して第４ノード装置２０４で分離(Drop)される。一方、第４ノード装置２０４から挿入(Add)された光信号は、現用回線である第１ラインを通り、第５ノード装置２０５を中継して第１ノード装置２０１で分離(Drop)される。すなわち、第１ノード装置２０１と第４ノード装置２０４間に現用回線である第１ラインを用いて双方向の通信パスが形成される。なお、第２ライン上の他のノード装置間でライン障害が発生した場合も同様の手順で第１ラインを用いて双方向の通信パスが形成される。
【００８８】
（４）第１ライン及び第２ライン共に障害が発生した時：
以下では、第１ライン及び第２ラインが共に正常な状態から第２ノード装置２０２と第３ノード装置２０３間を結ぶ第１ラインの光ファイバが断線し、続いて第２ノード装置２０２と第３ノード装置２０３間を結ぶ第２ラインの光ファイバが断線した場合で説明する。
【００８９】
第２ノード装置２０２と第３ノード装置２０３間の第１ラインの光ファイバが断線すると、上述したように第１ノード装置２０１〜第５ノード装置は全て状態２へ遷移し、第２ラインを用いて第１ノード装置２０１と第４ノード装置２０４間に双方向の通信パスが形成される。
【００９０】
続いて、第２ノード装置２０２と第３ノード装置２０３間の第２ラインの光ファイバが断線すると、第２ノード装置２０２は、第２ラインからの光信号の入力も無くなるため、第２障害検出部１２により第２ラインの障害を検出する。このとき、第２ノード装置２０２は、図８の状態遷移図に示すように状態２から状態５へ遷移し、ノード状態判定部１３により第１ライン及び第２ラインの双方で障害が発生したと判定する。
【００９１】
入力信号選択部１４はノード状態判定部１３の判定結果にしたがって第１ライン及び第２ラインとＯＡＤＭ部１７との接続を切断し、分離(Drop)路を遮断する。また、出力信号分配・遮断部２０はノード状態判定部１３の判定結果にしたがって第１ライン及び第２ラインに対する光信号の送出を停止し、挿入(Add)路を遮断する。
【００９２】
第１ノード装置２０１は、第２ラインを通した第２ノード装置２０２からの光信号の入力も停止するため、第１ノード装置２０１と第２ノード装置２０２間の第２ラインの光ファイバが断線したときと同じ状態となる。このため、第１ノード装置２０１も状態５へ遷移し、第２ラインへの光信号の送出を停止する。
【００９３】
後続の第５ノード装置２０５、第４ノード装置２０４、及び第３ノード装置２０３も、第２ノード装置２０２及び第１ノード装置２０１と同様に状態５へ遷移する。この段階で、全ノード装置２０１〜２０５が全て状態５へ遷移し、第１ライン及び第２ラインに流れる全ての光信号が無くなる。図１１はこの時の各ノード装置の状態遷移を示している。
【００９４】
したがって、第１ノード装置２０１からの光信号及び第４ノード装置２０４からの光信号がそれぞれ遮断され、第１ノード装置２０１と第４ノード装置２０４間の通信パスが遮断される。なお、第１ライン及び第２ライン上の他のノード装置間でライン障害が発生した場合も同様の手順で通信パスが遮断される。また、第２ラインの光ファイバが先に断線し、続いて第１ラインの光ファイバが断線した場合も同様の手順で各ノード装置が状態４から状態５へ遷移して通信パスが遮断される。
【００９５】
（５）ライン復旧時：
本発明では、障害の発生を検出したラインに対して光合分波装置から予め決められた所定周期毎にライン監視用の光信号を挿入することでラインが復旧したか否かを検出する。ライン監視用の光信号としては、通常の通信に用いる光信号と異なる専用の波長光を用いる方法も考えられるが、この方法では追加コストが必要になる。本発明では通常の通信に用いる光信号を障害の発生を検出したラインに定期的に挿入することでコストを上昇させることなく障害復旧を検出する。
【００９６】
ライン監視用の光信号をラインに挿入する場合、ノード装置は複数の波長光を多重化した光信号を生成する必要がある。ＯＡＤＭ部１７に光増幅器等を備えている場合は、その自然放出光(ASE: Amplified Spontaneous Emission)を用いる方法も考えられが、ここではクライアントからＯＡＤＭ部１７へ供給される光信号を利用する。また、リングを構成するノード装置のうち、少なくとも１チャネル分の特定波長光が割り当てられたノード装置をマスターノードに指定し、マスターノードから送信される光信号をライン監視用として用いる。以下では図７（ｂ）に示すリングネットワークを構成するノード装置のうち、第１ノード装置２０１をマスターノードに指定した例で説明する。
【００９７】
マスターノードは、光合分波装置でライン障害を検出している状態、すなわち、状態２（第１ライン：障害、第２ライン：正常）、状態４（第１ライン：正常、第２ライン：障害）、及び状態５（第１ライン：障害、第２ライン：障害）において、所定周期（例えば、２秒）毎に障害が検出されたラインに対して予め決められた時間幅（例えば１００ｍｓ）の光信号（特定波長光）を送出する。なお、ライン監視用の光信号は、ノード状態判定部１３により出力信号分配・遮断部２０を制御することで、クライアントから供給された特定波長の光信号を障害の検出したラインへ送出させる。
【００９８】
このマスターノードの各状態について以下のように定義する。
【００９９】
マスターノードの光合分波装置の状態は、以下に記載する状態２１、状態４４、状態５１、及び状態５２の４つの状態がある。
【０１００】
（ａ）状態２１：第１ラインで障害が発生し、第２ラインが正常な状態。
【０１０１】
このとき、マスターノードの光合分波装置は第２ラインからの光信号を入力信号選択部１４によりＯＡＤＭ部１７へ出力することで分離(Drop)路を確保する。
【０１０２】
また、ＯＡＤＭ部１７から出力された光信号を出力信号分配・遮断部２０により第１ライン及び第２ラインの双方へ送出することで第２ラインに対して挿入(Add)路を確保すると共に第１ラインへライン監視用の光信号を挿入する。
【０１０３】
任意のノード装置間の通信パスは第２ラインを用いて確保され、ライン監視用の光信号は第１ラインを通して後続のノード装置へ伝搬される。
【０１０４】
（ｂ）状態４１：第２ラインで障害が発生し、第１ラインが正常な状態。
【０１０５】
このとき、マスターノードの光合分波装置は第１ラインからの光信号を入力信号選択部１４によりＯＡＤＭ部１７へ出力することで分離(Drop)路を確保する。
【０１０６】
また、ＯＡＤＭ部１７から出力された光信号を出力信号分配・遮断部２０により第１ライン及び第２ラインの双方へ送出することで第１ラインに対して挿入(Add)路を確保すると共に第２ラインへライン監視用の光信号を挿入する。
【０１０７】
任意のノード装置間の通信パスは第１ラインを用いて確保され、ライン監視用の光信号は第２ラインを介して後続のノード装置に伝搬される。
【０１０８】
（ｃ）状態５１：第１ライン及び第２ライン共に障害が発生している状態であり、第１ラインの障害復旧を監視する場合。
【０１０９】
このとき、マスターノードの光合分波装置は、入力信号選択部１４により第１ライン及び第２ラインとＯＡＤＭ部１７間を切断し、分離(Drop)路を遮断する。
【０１１０】
一方、クライアントからＯＡＤＭ部１７を介して出力された光信号を、出力信号分配・遮断部２０により第１ラインへ所定周期毎に送出することで、第１ラインに対してライン監視用の光信号を挿入する。ライン監視用の光信号は第１ラインを通してマスターノードから後続のノード装置へ伝搬される。
【０１１１】
（ｄ）状態５２：第１ライン及び第２ライン共に障害が発生している状態であり、第２ラインの障害復旧を監視する場合。
【０１１２】
このとき、マスターノードの光合分波装置は、入力信号選択部１４により第１ライン及び第２ラインとＯＡＤＭ部１７間を切断し、分離(Drop)路を遮断する。
【０１１３】
一方、クライアントからＯＡＤＭ部１７を介して出力された光信号を出力信号分配・遮断部２０により第２ラインへ所定周期毎に送出することで、第２ラインに対してライン監視用の光信号を挿入する。ライン監視用の光信号は第２ラインを通してマスターノードから後続のノード装置に伝搬される。
【０１１４】
以上をまとめると、マスターノードの各状態は図１２に示すノード状態表でそれぞれ表すことができる。なお、図１２のノード状態表に示す入力信号選択部１、出力信号分配・遮断部の構成のうち、接続関係を示す数字は、入力信号選択部１４及び出力信号分配・遮断部２０の入出力端子番号をそれぞれ示している（図１参照）。
【０１１５】
次に、ライン復旧時の各ノード装置の動作について図面を用いて説明する。
【０１１６】
なお、ライン復旧を監視する際には、第１ライン及び第２ラインに対してライン監視用の光信号を同時に挿入することで、上述した状態５１及び状態５２を同時に実現する方法もある。しかしながら、以下では第１ラインの障害復旧監視と第２ラインの障害復旧監視を別々に行う場合を例にしてライン復旧時の手順を説明する。
【０１１７】
（５−１）第１ライン障害時の復帰手順：
まず、第１ノード装置２０１と第４ノード装置２０４間で双方向の通信パスが形成された状態から第２ノード装置２０２と第３ノード装置２０３間の第１ラインの光ファイバが断線した場合（図７（ｂ）参照）を例にして、第１ラインの復旧手順について説明する。
【０１１８】
第２ノード装置２０２と第３ノード装置２０３間の第１ラインの光ファイバが断線した場合、上述したように第１ノード装置２０１〜第５ノード装置２０５は全て状態２に遷移し、第２ラインを用いて第１ノード装置２０１と第４ノード装置２０４間に通信パスが形成される。
【０１１９】
このとき、マスターノードである第１ノード装置２０１は、図１３に示すように、不図示の第１タイマー回路の出力を用いて所定周期（例えば２秒）毎に状態２１に遷移し、第１障害検出部１１により第１ラインから光信号が入力されるか否かの監視を行う。
【０１２０】
マスターノードの入力信号選択部１４は、正常状態にある第２ラインから入力された光信号をＯＡＤＭ部１７へ出力する状態を継続する。また、出力信号分配・遮断部２０は、ＯＡＤＭ部１７から出力された光信号を第１ライン及び第２ラインの双方へ送出し、第２ラインにより挿入(Add)路を確保すると共に第１ラインに対してライン監視用の光信号を挿入する。
【０１２１】
ここで、第１障害検出部１１で光信号入力が検出された場合は、第２ノード装置２０２〜第５ノード装置２０５で第１ラインを通した光信号の送受信がそれぞれ再開されていると考えられるため、第１ラインの障害が復旧したと判定し、マスターノードは状態１へ遷移する。
【０１２２】
また、第１障害検出部１１で光信号入力が検出されない場合は、不図示の第２タイマー回路の出力を用いて一定時間後（例えば１００ｍｓ、第２タイマーのカウント終了後）に状態２へ復帰する。
【０１２３】
一方、マスターノード（第１ノード装置２０１）に後続する第２ノード装置２０２では、第１障害検出部１１で光信号入力を検出すると、第１ノード装置２０１からの光入力が復旧したと判定して状態３へ遷移する。
【０１２４】
このとき、第２ノード装置２０２の入力信号選択部１４は、正常状態にある第２ラインから入力された光信号をＯＡＤＭ部１７へ出力する状態を継続する。また、出力信号分配・遮断部２０は、ＯＡＤＭ部１７から出力された光信号を第１ライン及び第２ラインの双方へ送出し、第２ラインにより挿入(Add)路を確保すると共に第１ラインに対してライン監視用の光信号を挿入する。
【０１２５】
第２ノード装置２０２の第１障害検出部１１は、一定時間（例えば２００ｍｓ）以上光信号が継続して入力された場合に第１ラインが復旧したと判定し、状態３から状態１へ遷移する。また、この一定時間（例えば２００ｍｓ）内に光信号の入力が停止した場合は状態３から状態２へ復帰する。
【０１２６】
マスターノードである第１ノード装置２０１から出力されるライン監視用の光信号は、一定時間（例えば１００ｍｓ）継続した後停止する、状態３の監視時間（ここでは２００ｍｓ）以内の光信号であるため、第２ノード装置２０２は、このライン監視用の光信号を検出しただけでは状態３から状態１へ移らずに状態２へ戻る。
【０１２７】
第２ノード装置２０２に後続する第３ノード装置２０３では、第２ノード装置２０２及び第３ノード装置２０３間の第１ラインの光ファイバ断線状態が継続している場合は以下に記載する（５−１−Ａ）を実行し、光ファイバ断線状態から復旧している場合は（５−１−Ｂ）を実行する。
【０１２８】
（５−１−Ａ）第２ノード装置２０２と第３ノード装置２０３間の第１ラインの光ファイバ断線状態が継続している場合：
この場合、第２ノード装置２０２からの第１ラインを通した光信号停止状態が継続されるため第３ノード装置２０３は状態２を維持する。また、第３ノード装置２０３に後続する第４ノード装置２０４及び第５ノード装置２０５も、第３ノード装置２０３と同様に動作して状態２を維持する。
【０１２９】
さらに、第５ノード装置２０５に後続する第１ノード装置２０１（マスターノード）は、第５ノード装置２０５からの光信号の入力断状態が継続されるため、状態２１への遷移時にカウントを開始した第２タイマー回路（ここでは、例えば１００ｍｓ）によるカウント終了後に状態２へ復帰する。
【０１３０】
このとき、第２ノード装置２０２は、第１ノード装置２０１からの第１ラインを通した光信号入力が停止するため、状態３から状態２に復帰する。図１４はこの時の各ノード装置の状態遷移を示している。
【０１３１】
以上の動作により、第２ラインを用いた第１ノード装置２０１と第４ノード装置２０４間の双方向通信パスが継続され、マスターノードによる第１ラインに対するライン復旧時の監視手順が繰り返される。
【０１３２】
（５−１−Ｂ）第２ノード装置２０２と第３ノード装置２０３間の第１ラインが光ファイバ断線状態から復旧している場合：
この場合、第３ノード装置２０３は、第１障害検出部１１により光信号の入力を検出するため、第２ノード装置２０２からの光入力が再開したとして状態３へ遷移する。
【０１３３】
第３ノード装置２０３の入力信号選択部１４は、正常状態にある第２ラインから入力された光信号をＯＡＤＭ部１７に出力する状態を継続する。また、出力信号分配・遮断部２０は、ＯＡＤＭ部１７から出力された光信号を第１ライン及び第２ラインの双方へ送出し、第２ラインにより挿入(Add)路を確保すると共に、第１ラインに対してライン監視用の光信号を挿入する。
【０１３４】
第３ノード装置２０３の第１障害検出部１１は、一定時間（例えば２００ｍｓ）以上光信号が継続して入力された場合に第１ラインが復旧したと判定し、状態３から状態１へ遷移する。なお、この一定時間（例えば２００ｍｓ）内に光信号の入力が停止した場合は状態３から状態２へ復帰する。
【０１３５】
第３ノード装置２０３に後続する第４ノード装置２０４及び第５ノード装置２０５も、第３ノード装置２０３と同様に動作して、状態１へ遷移する。
【０１３６】
また、第５ノード装置２０５に後続する第１ノード装置２０１（マスターノード）は、第５ノード装置２０５からの光信号の入力再開を検出すると、第２ノード装置２０２〜第５ノード装置２０５の第１ラインを通してライン監視用の光信号が戻ってきたことになるため、第１ラインの障害が復旧したと判定して状態１へ遷移する。
【０１３７】
さらに、第１ノード装置２０１に後続する第２ノード装置２０２では、第１ノード装置２０１から第１ラインを通した光信号が一定時間（例えば２００ｍｓ）以上継続して入力されるため、第１ラインが復旧したと判定し、状態３から状態１へ遷移する。
【０１３８】
第２ノード装置２０２に後続する第３ノード装置２０３〜第５ノード装置２０５も第２ノード装置２０２と同様に動作するため、全ノード装置２０１〜２０５が全て状態１に遷移する。図１５はこの時の各ノード装置の状態遷移を示している。
【０１３９】
以上の動作により、リングネットワークが正常状態に復帰し、第１ノード装置２０１と第４ノード装置２０４間の双方向の通信パスが第１ラインを用いて形成される。
【０１４０】
（５−２）第２ライン障害時の復帰手順：
次に、第１ノード装置２０１と第４ノード装置２０４間で双方向の通信パスが形成された状態から第２ノード装置２０２と第３ノード装置２０３間の第２ラインの光ファイバが断線した場合（図７（ｂ）参照）を例にして、第２ラインの復旧手順について説明する。
【０１４１】
第２ノード装置２０２と第３ノード装置２０３間の第２ラインの光ファイバが断線した場合、上述したように第１ノード装置２０１〜第５ノード装置２０５は全て状態４に遷移し、第１ラインを用いた第１ノード装置２０１と第４ノード装置２０４間の通信パスが維持される。
【０１４２】
このとき、マスターノードである第１ノード装置２０１は、図１３に示すように、不図示の第１タイマー回路の出力を用いて所定周期（例えば２秒）毎に状態４１に遷移し、第２障害検出部１２により第２ラインから光信号が入力されるか否かの監視を行う。
【０１４３】
マスターノードの入力信号選択部１４は、正常状態にある第１ラインから入力された光信号をＯＡＤＭ部１７へ出力する状態を継続する。また、出力信号分配・遮断部２０は、ＯＡＤＭ部１７から出力された光信号を第１ライン及び第２ラインの双方へ送出し、第１ラインにより挿入(Add)路を確保すると共に第２ラインに対してライン監視用の光信号を挿入する。
【０１４４】
ここで、第２障害検出部１２で光信号入力が検出された場合は、第２ノード装置２０２〜第５ノード装置２０５で第２ラインを通した光信号の送受信がそれぞれ再開されていると考えられるため、第２ラインの障害が復旧したと判定し、マスターノードは状態１へ遷移する。
【０１４５】
また、第２障害検出部１２で光信号入力が検出されない場合は、不図示の第２タイマー回路の出力を用いて一定時間後（例えば１００ｍｓ、第２タイマーのカウント終了後）に状態４へ復帰する。
【０１４６】
一方、マスターノード（第１ノード装置２０１）に後続する第５ノード装置２０５では、第２障害検出部１２で光信号入力を検出すると、第１ノード装置２０１からの光入力が復旧したと判定して状態１へ遷移する。
【０１４７】
このとき、第５ノード装置２０５の入力信号選択部１４は、正常状態にある第１ラインから入力された光信号をＯＡＤＭ部１７へ出力する状態を継続する。また、出力信号分配・遮断部２０は、ＯＡＤＭ部１７から出力された光信号を第１ライン及び第２ラインの双方へ送出し、第１ラインにより挿入(Add)路を確保すると共に第２ラインに対してライン監視用の光信号を挿入する。
【０１４８】
第５ノード装置２０５に後続する第４ノード装置２０４及び第２ノード装置２０３も第５ノード装置２０５と同様に動作して状態１へ遷移する。
【０１４９】
第３ノード装置２０３に後続する第２ノード装置２０２では、第２ノード装置２０２と第３ノード装置２０３間の第２ラインの光ファイバ断線状態が継続している場合は以下に記載する（５−２−Ａ）を実行し、光ファイバ断線状態から復旧している場合は（５−２−Ｂ）を実行する。
【０１５０】
（５−２−Ａ）第２ノード装置２０２と第３ノード装置２０３間の第２ラインの光ファイバ断線状態が継続している場合：
この場合、第３ノード装置２０３からの第２ラインを通した光信号停止状態が継続されるため第２ノード装置２０２は状態４を維持する。
【０１５１】
また、後続する第１ノード装置２０１（マスターノード）は、第２ノード装置２０２からの光信号の入力断状態が継続されるため、状態４１への遷移時にカウントを開始した第２タイマー回路（ここでは、例えば１００ｍｓ）のカウント終了後に状態４へ復帰する。
【０１５２】
このとき、第５ノード装置２０５は、第１ノード装置２０１からの光信号入力が停止するため状態１から状態４に復帰する。後続する第４ノード装置２０４及び第３ノード２０３も、第５ノード装置２０５と同様に動作し、第１ノード装置２０１〜第５２０５は全て状態４となる。図１６はこの時の各ノード装置の状態遷移を示している。
【０１５３】
以上の動作により、第１ラインを用いた第１ノード装置２０１と第４ノード装置２０４間の双方向の通信パスが継続され、マスターノードによる第２ラインに対するライン復旧時の監視手順が繰り返される。
【０１５４】
（５−２−Ｂ）第２ノード装置２０２と第３ノード装置２０３間を結ぶ第２ラインの光ファイバ断線状態が復旧している場合：
この場合、第２ノード装置２０２は、第２障害検出部１２により光信号の入力を検出するため、第３ノード装置２０３からの光入力が再開したとして状態１へ遷移する。
【０１５５】
第２ノード装置２０２の入力信号選択部１４は、正常状態にある第１ラインから入力された光信号をＯＡＤＭ部１７に出力する状態を継続する。また、出力信号分配・遮断部２０は、ＯＡＤＭ部１７から出力された光信号を第１ライン及び第２ラインの双方へ送出し、第１ラインにより挿入(Add)路を確保すると共に、第２ラインに対してライン監視用の光信号を挿入する。
【０１５６】
第２ノード装置２０２に後続する第１ノード装置２０１（マスターノード）は、第２ノード装置２０２からの光信号の入力再開を検出すると、第２ノード装置２０２〜第５ノード装置２０５の第２ラインを通してライン監視用の光信号が戻ってきたことになるため、第２ラインの障害が復旧したと判定して状態１へ遷移する。
【０１５７】
このようにして、全ノード装置２０１〜２０５が全て状態１に遷移する。図１７はこの時の各ノード装置の状態遷移を示している。
【０１５８】
以上の動作により、リングネットワークが正常状態に復帰すると共に、第１ラインを用いた第１ノード装置２０１と第４ノード装置２０４間の双方向の通信パスが維持される。
【０１５９】
（５−３）第１ライン及び第２ライン障害時の復帰手順：
次に、第１ノード装置２０１と第４ノード装置２０４間で双方向の通信パスが形成された状態から第２ノード装置２０２と第３ノード装置２０３間の第１ライン及び第２ラインの光ファイバがそれぞれ断線した場合（図７（ｂ）参照）を例にして、第１ライン及び第２ラインの復旧手順について説明する。
【０１６０】
第２ノード装置２０２と第３ノード装置２０３間の第１ラインと第２ラインの両方の光ファイバが断線した場合、上述したように第１ノード装置２０１〜第５ノード装置２０５は全て状態５に遷移し、第１ライン及び第２ライン上に流れる光信号が全て無くなる。
【０１６１】
このとき、マスターノードである第１ノード装置２０１は、不図示の第１タイマー回路の出力を用いて所定周期（例えば２秒）毎に状態５１及び状態５２へ交互に遷移する。
【０１６２】
第１ノード装置２０１が状態５１のとき、入力信号選択部１４は第１ライン及び第２ラインからＯＡＤＭ部１７への光信号の出力をそれぞれ遮断する。また、出力信号分配・遮断部２０はＯＡＤＭ部１７から出力された光信号を所定周期毎に第１ラインへ送出し、第１ラインに対してライン監視用の光信号を挿入する。
【０１６３】
第１障害検出部１１は第１ラインから光信号が入力されたか否かを監視し、光信号が入力された場合は、第２ノード装置２０２〜第５ノード装置２０５の第１ラインを通してライン監視用の光信号が戻ってきたことになるため、第１ラインの障害が復旧したと判定して状態４へ遷移する。また、状態５１へ遷移後、第１障害検出部１１に対して光信号が入力されない場合は、一定時間（例えば１００ｍｓ）経過後（第２タイマー終了後）に状態５へ復帰する。
【０１６４】
第１ノード装置２０１が状態５１のとき、後続する第２ノード装置２０２は、第１ラインを通して第１ノード装置２０１からの光信号入力が再開されるため状態４へ遷移する。
【０１６５】
第２ノード装置２０２の入力信号選択部１４は、第１ラインから入力された光信号をＯＡＤＭ部１７に出力する。また、出力信号分配・遮断部２０は、ＯＡＤＭ部１７から出力された光信号を第１ラインへ送出し、第１ラインにより挿入(Add)路を確保する。
【０１６６】
第２ノード装置２０２に後続する第３ノード装置２０３は、第２ノード装置２０２と第３ノード装置２０３間の第１ラインの光ファイバ断線状態が継続している場合は以下に記載する（５−３−Ａ）を実行し、光ファイバ断線状態から復旧している場合は（５−３−Ｂ）を実行する。
【０１６７】
（５−３−Ａ）第２ノード装置２０２と第３ノード装置２０３間の第１ラインの光ファイバ断線状態が継続している場合：
この場合、第３ノード装置２０３は、第１ラインを通した第２ノード装置２０２からの光信号停止状態が継続されるため状態５を維持する。また、後続する第４ノード装置２０４及び第５ノード装置２０５も第３ノード装置２０３と同様に動作して状態５を維持する。
【０１６８】
さらに、第５ノード装置２０５に後続する第１ノード装置２０１（マスターノード）は、第１ラインを通した第５ノード装置２０５からの光入力断状態が継続するため、状態５１への遷移時にカウントを開始した第２タイマー（ここでは１００ｍｓ）のカウント終了後に状態５に復帰する。
【０１６９】
第１ノード装置２０１に後続する第２ノード装置２０２は、第１ラインを通した第１ノード装置２０１からの光信号の入力が停止するため状態４から状態５に復帰する。図１８はこの時の各ノード装置の状態遷移を示している。
【０１７０】
以上の動作により、通信パスの遮断状態が継続され、マスターノードは所定周期（例えば２秒）後に状態５２へ遷移して、後述する（５−３−Ｃ）の第２ラインのライン復旧を検出するための処理を実行する。
【０１７１】
（５−３−Ｂ）第２ノード装置２０２と第３ノード装置２０３間の第１ラインの光ファイバ断線状態が復旧している場合：
この場合、第３ノード装置２０３は、第１ラインを通した第２ノード装置２０２からの光信号を第１障害検出部１１で検出するため状態４へ遷移し、出力信号分配・遮断部２０によりＯＡＤＭ部１７から出力された光信号を第１ラインへ送出する。また、後続する第４ノード装置２０４及び第５ノード装置２０５も第３ノード装置２０３と同様に動作して状態４へ遷移する。
【０１７２】
さらに、第５ノード装置２０５に後続する第１ノード装置２０１（マスターノード）は、第１ラインを通して第５ノード装置２０５からの光信号を第１障害検出部で検出するため、第１ラインの障害が復旧したと判定して状態４へ遷移する。
【０１７３】
以上の動作により、リングネットワーク内のノード装置が全て状態４へ遷移し、双方向の通信パスが第１ラインにより形成される。図１９はこの時の各ノード装置の状態遷移を示している。
【０１７４】
一方、第１ノード装置２０１が状態５２のとき、入力信号選択部１４は第１ライン及び第２ラインからＯＡＤＭ部１７への光信号の出力をそれぞれ遮断する。また、出力信号分配・遮断部２０はＯＡＤＭ部１７から出力された光信号を所定周期毎に第２ラインへ送出し、第２ラインに対してライン監視用の光信号を挿入する。
【０１７５】
第２障害検出部１２は第２ラインから光信号が入力されたか否かを監視し、光信号が入力された場合は、第２ノード装置２０２〜第５ノード装置２０５の第２ラインを通してライン監視用の光信号が戻ってきたことになるため、第２ラインの障害が復旧したと判定して状態２へ遷移する。状態５２へ遷移後、第２障害検出部１２に対して光信号が入力されない場合は、一定時間（例えば１００ｍｓ）経過後（第２タイマー終了後）に状態５へ復帰する。
【０１７６】
第１ノード装置２０１が状態５２のとき、後続する第５ノード装置２０５は、第２ラインを通して第１ノード装置２０１からの光信号入力が再開されるため状態２へ遷移する。
【０１７７】
第５ノード装置２０５の入力信号選択部１４は、第２ラインから入力された光信号をＯＡＤＭ部１７に出力する。また、出力信号分配・遮断部２０は、ＯＡＤＭ部１７から出力された光信号を第２ラインへ送出し、第２ラインにより挿入(Add)路を確保する。
【０１７８】
第５ノード装置２０５に後続する第４ノード装置２０４及び第３ノード装置２０３も第５ノード装置２０５と同様に動作して状態２へ遷移する。
【０１７９】
第２ノード装置２０２は、第２ノード装置２０２と第３ノード装置２０３間の第２ラインの光ファイバ断線状態が継続している場合は後述する（５−３−Ｃ）を実行し、光ファイバ断線状態が復旧している場合は後述する（５−３−Ｄ）を実行する。
【０１８０】
（５−３−Ｃ）第２ノード装置２０２と第３ノード装置２０３間の第２ラインの光ファイバ断線状態が継続している場合：
この場合、第２ノード装置２０２は、第２ラインを通した第３ノード装置２０３からの光信号停止状態が継続されるため状態５を維持する。
【０１８１】
第２ノード装置２０２に後続する第１ノード装置２０１（マスターノード）は、第２ラインを通した第２ノード装置２０２からの光入力断状態が継続するため、状態５２への遷移時にカウントを開始した第２タイマー（ここでは１００ｍｓ）のカウント終了後に状態５に復帰する。
【０１８２】
さらに、第１ノード装置２０１に後続する第５ノード装置２０５は、第２ラインを通した第１ノード装置２０１からの光信号の入力が停止するため状態２から状態５に復帰する。第５ノード装置２０５に後続する第４ノード装置２０４及び第３ノード装置２０３も第５ノード装置２０５と同様に動作して状態５へ復帰する。図２０はこの時の各ノード装置の状態遷移を示している。
【０１８３】
以上の動作により、通信パスの遮断状態が継続され、マスターノードは所定周期（例えば２秒）後に状態５１へ遷移して、上述した第１ラインのライン復旧を検出するための処理を実行する。
【０１８４】
（５−３−Ｄ）第２ノード装置２０２と第３ノード装置２０３間の第２ラインの光ファイバ断線状態が復旧している場合：
この場合、第２ノード装置２０２は、第２ラインを通した第３ノード装置２０３からの光信号を第２障害検出部１２で検出するため状態２へ遷移し、出力信号分配・遮断部２０によりＯＡＤＭ部１７から出力された光信号を第２ラインへ送出する。
【０１８５】
第２ノード装置２０２に後続する第１ノード装置２０１（マスターノード）は、第２ラインを通して第２ノード装置２０２からの光信号を第２障害検出部で検出するため、第２ラインの障害が復旧したと判定して状態２へ遷移する。
【０１８６】
以上の動作により、リング内のノード装置が全て状態２へ遷移し、通信パスが第２ラインにより形成される。図２１はこの時の各ノード装置の状態遷移を示している。
【０１８７】
以上説明したように、本発明の光合分波装置を備えたノード装置を用いれば、リングネットワークの構築が可能になると共に光ファイバ断の障害に対する復旧能力を提供できる。また、ＯＡＤＭ部及びトランスポンダ部を第１ラインと第２ラインで共通に使用するため、ノード装置の規模、価格、消費電力、及び設置場所に必要な容量等を低減できる。
【０１８８】
なお、本発明の光合分波装置を備えたノード装置は、図７（ａ）に示したリング構成ではなく図２７に示した対向（ポイント・ツー・ポイント）ネットワークを構成した場合でも、光ファイバ断の障害に対する復旧能力が提供できることは言うまでもない。
【０１８９】
今後成長が見込まれる、一般のビルディングや工場内等に設置されるメトロ系ネットワークでは、小型化、低消費電力化、及び低価格化が強く求められている。
【０１９０】
メトロ系ネットワークではルータを用いたＩＰネットワークが主流になると考えられる。このようなネットワークでは発生頻度が比較的高い光ファイバ断に対する障害復旧能力は求められが、発生頻度が比較的低い装置障害等の障害に対してはルータの迂回機能を用いることで障害復旧が可能になる。但し、ルータの迂回機能では障害復旧までに数分間回線が切断されてしまう可能性がある。また迂回路が確保できない可能性もある。
【０１９１】
したがって、高信頼性が要求される基幹系ネットワークにはＵＰＳＲ勧告に基づいた第１従来例や第２従来例の構成が望ましいが、装置構成の小型化や低消費電力、低価格がより強く要求されるメトロ系ネットワークでは本発明の光合分波装置を備えたノード装置を用いることが有効である。
【０１９２】
【発明の効果】
本発明は以上説明したように構成されているので、以下に記載する効果を奏する。
【０１９３】
出力信号分配・遮断部により障害の発生していないと判定されたラインに光信号が出力され、障害が発生したラインに対する光信号の出力が停止されるため、障害の発生時にその障害検出結果がネットワークの後段のノード装置に順に伝播され、任意のノード装置間に形成された通信パスが障害の発生していないラインを用いて復旧される。よって、対向ネットワークだけでなくリングネットワークの構築が可能になると共に、光ファイバ断の障害に対する復旧能力を提供できる。
【０１９４】
また、ＯＡＤＭ部及びトランスポンダ部を第１ラインと第２ラインで共通に使用するため、ノード装置の規模、価格、消費電力、及び設置場所に必要な容量等を低減できる。
【０１９５】
さらに、自装置がマスターノードに指定された場合に、障害の発生を検出したラインに対してクライアントから供給される特定波長光信号を出力信号分配・遮断部から予め決められた所定周期毎に予め決められた時間幅で送出させることで、安価な構成で障害の復旧を検出することができる。
【図面の簡単な説明】
【図１】本発明の光合分波装置の一構成例を示すブロック図である。
【図２】図１に示したＯＡＤＭ部の一構成例を示すブロック図である。
【図３】図１に示したＯＡＤＭ部の他の構成例を示すブロック図である。
【図４】図１に示した光合分波装置を備えたノード装置でリングネットワークを構成した例を示す図であり、正常時に通信パスが形成される様子を示す模式図である。
【図５】図１に示した光合分波装置を備えたノード装置でリングネットワークを構成した例を示す図であり、障害発生時に通信パスが復旧される様子を示す模式図である。
【図６】図１に示した光合分波装置を備えたノード装置の状態をまとめて示すノード状態表である。
【図７】図１に示した光合分波装置を備えたノード装置でリングネットワークを構成した例を示す図であり、同図（ａ）は正常時のブロック図、同図（ｂ）は障害発生箇所を含むブロック図である。
【図８】図１に示した光合分波装置を備えたノード装置の動作を示す状態遷移図である。
【図９】図７に示した第２ノード装置と第３ノード装置間の第１ラインで障害が発生したときの各ノード装置の状態遷移を示す模式図である。
【図１０】図７に示した第２ノード装置と第３ノード装置間の第２ラインで障害が発生したときの各ノード装置の状態遷移を示す模式図である。
【図１１】図７に示した第２ノード装置と第３ノード装置間の第１ラインで障害が発生した状態から続けて第２ラインで障害が発生したときの各ノード装置の状態遷移を示す模式図である。
【図１２】図７に示したリングネットワークのマスターノードの状態をまとめて示すノード状態表である。
【図１３】図７に示したリングネットワークのマスターノードの動作を示す状態遷移図である。
【図１４】図７に示した第２ノード装置と第３ノード装置間の第１ラインで障害が発生し、その障害状態が継続している場合の各ノード装置の状態遷移を示す模式図である。
【図１５】図７に示した第２ノード装置と第３ノード装置間の第１ラインで障害が発生し、その障害状態が復旧している場合の各ノード装置の状態遷移を示す模式図である。
【図１６】図７に示した第２ノード装置と第３ノード装置間の第２ラインで障害が発生し、その障害状態が継続している場合の各ノード装置の状態遷移を示す模式図である。
【図１７】図７に示した第２ノード装置と第３ノード装置間の第２ラインで障害が発生し、その障害状態が復旧している場合の各ノード装置の状態遷移を示す模式図である。
【図１８】図７に示した第２ノード装置と第３ノード装置間の第１ライン及び第２ラインで障害が発生し、第１ラインの障害状態が継続している場合の各ノード装置の状態遷移を示す模式図である。
【図１９】図７に示した第２ノード装置と第３ノード装置間の第１ライン及び第２ラインで障害が発生し、第１ラインの障害状態が復旧している場合の各ノード装置の状態遷移を示す模式図である。
【図２０】図７に示した第２ノード装置と第３ノード装置間の第１ライン及び第２ラインで障害が発生し、第２ラインの障害状態が継続している場合の各ノード装置の状態遷移を示す模式図である。
【図２１】図７に示した第２ノード装置と第３ノード装置間の第１ライン及び第２ラインで障害が発生し、第２ラインの障害状態が復旧している場合の各ノード装置の状態遷移を示す模式図である。
【図２２】第１従来例の光合分波装置の構成を示すブロック図である。
【図２３】第２従来例の光合分波装置の構成を示すブロック図である。
【図２４】第３従来例の光合分波装置の構成を示すブロック図である。
【図２５】図２４に示した光合分波装置を備えたノード装置でリングネットワークを構成した例を示す図であり、正常時に通信パスが形成される様子を示す模式図である。
【図２６】図２４に示した光合分波装置を備えたノード装置でリングネットワークを構成した例を示す図であり、障害発生時に通信パスが形成できない様子を示す模式図である。
【図２７】光合分波装置を有するノード装置を対向して配置したネットワークの構成を示すブロック図である。
【符号の説明】
１１    第１障害検出部
１２    第２障害検出部
１３    ノード状態判定部
１４    入力信号選択部
１５    第１光分岐回路
１６    第２光分岐回路
１７    ＯＡＤＭ部
１８    トランスポンダ部
２０    出力信号分配・遮断部
２１    光サーキュレータ
２２    ファイバグレーティング
２３    光フィルタ
２４    光カプラ
３１    ＯＤＭＵＸ
３２    ＯＭＵＸ
１０１，２０１    第１ノード装置
１０２，２０２    第２ノード装置
１０３，２０３    第３ノード装置
２０４    第４ノード装置
２０５    第５ノード装置
【図１】
0004055442.tif 000002
【図２】
0004055442.tif 000003
【図３】
0004055442.tif 000004
【図４】
0004055442.tif 000005
【図５】
0004055442.tif 000006
【図６】
0004055442.tif 000007
【図７】
0004055442.tif 000008
【図８】
0004055442.tif 000009
【図９】
0004055442.tif 000010
【図１０】
0004055442.tif 000011
【図１１】
0004055442.tif 000012
【図１２】
0004055442.tif 000013
【図１３】
0004055442.tif 000014
【図１４】
0004055442.tif 000015
【図１５】
0004055442.tif 000016
【図１６】
0004055442.tif 000017
【図１７】
0004055442.tif 000018
【図１８】
0004055442.tif 000019
【図１９】
0004055442.tif 000020
【図２０】
0004055442.tif 000021
【図２１】
0004055442.tif 000022
【図２２】
0004055442.tif 000023
【図２３】
0004055442.tif 000024
【図２４】
0004055442.tif 000025
【図２５】
0004055442.tif 000026
【図２６】
0004055442.tif 000027
【図２７】
0004055442.tif 000028